(57)【要約】【課題】内容物放出操作用の放出ボタンのロックモードを簡単なスライド操作で設定可能とし、また、ロックモードの放出ボタンに何らかの力が加わっても不用意に内容物放出状態に移行することを十全に阻止して誤動作防止を図る。【解決手段】図示のロックモードにおいて、放出ボタン１の後側下端面１ｇがワンタッチキャップ４の後側上端面４ｎに当接し、かつ、駆動作用部１ｃと外側上向き凸状部４ｈとがスライド方向（左右方向）に離間するようにした。放出ボタン１が衝撃を受けたりロックモード位置から少しずれた状態で下方に操作されたりしても、放出ボタン１が内容物通路部４ｆを介してステム２を駆動することはない。放出ボタン１を図示右方向にスライドさせたロック解除モードにすると、後側下端面１ｇと後側上端面４ｎとの当接が解除され、駆動作用部１ｃが外側上向き凸状部４ｈの直上に位置し、放出ボタン１を下方に操作するとステム２は駆動される。【選択図】図１
2015048132.tif 000002
【特許請求の範囲】
【請求項１】
ワンタッチキャップに取り付けられた操作部のスライド動作により、外部空間域への内容物放出操作を阻止するロックモードおよび当該内容物放出操作を可とするロック解除モードのそれぞれが選択的に設定され、当該ロック解除モードでの当該内容物放出操作により放出側通路部から内容物が放出される内容物放出操作ロック機構において、
前記ワンタッチキャップは、
前記操作部のスライド動作をガイドする案内部を備え、
前記操作部は、
前記ロックモードのスライド位置において前記ワンタッチキャップに当接保持される被保持部と、
前記案内部にガイドされる被案内部と、
前記ロック解除モードのスライド位置において前記放出側通路部を内容物放出状態に設定する駆動作用部と、を備え、
前記放出側通路部は、
前記ロック解除モードの前記駆動作用部と連動する被駆動作用部を備え、
前記駆動作用部および前記被駆動作用部は、
前記ロックモードのとき、前記駆動作用部が、前記被駆動作用部から前記操作部のスライド方向にずれて離間した位置のみ、となる形で設けられている、
ことを特徴とする内容物放出操作ロック機構。
【請求項２】
前記被駆動作用部から前記操作部のスライド方向にずれて離間した位置は、
前記被駆動作用部の直上方部分から前記操作部のスライド方向にシフトした位置である、
ことを特徴とする請求項１記載の内容物放出操作ロック機構。
【請求項３】
前記放出側通路部は、
前記内容物放出状態へシフトするためのバルブ作用を示すステム、およびその下流側に取り付けられたステム外通路部からなり、
前記被駆動作用部は、
前記ステム外通路部に形成されている、
ことを特徴とする請求項１または２記載の内容物放出操作ロック機構。
【請求項４】
前記操作部は、
前記ワンタッチキャップと一体成形された片持ち形状からなる押下げ回動操作タイプの放出ボタンである、
ことを特徴とする請求項１〜３のいずれかに記載の内容物放出操作ロック機構。
【請求項５】
前記ステム外通路部は、
前記外部空間域への内容物の放出口を有する筒状部であり、
前記被駆動作用部は、
前記筒状部の外周面に形成された外側凸状部である、
ことを特徴とする請求項３または４記載の内容物放出操作ロック機構。
【請求項６】
前記ワンタッチキャップは、
前記操作部を、前記ロックモードおよび前記ロック解除モードそれぞれのスライド位置に保持する、ための位置規制部を有している、
ことを特徴とする請求項１〜５のいずれかに記載の内容物放出操作ロック機構。
【請求項７】
請求項１乃至６のいずれかに記載の内容物放出操作ロック機構を備え、かつ、容器本体に噴射用ガスおよび内容物を収容した、
ことを特徴とするエアゾール式製品。
【請求項８】
請求項１乃至６のいずれかに記載の内容物放出操作ロック機構を備え、かつ、容器本体に内容物を収容した、
ことを特徴とするポンプ式製品
【発明の詳細な説明】
【技術分野】
【０００１】
本発明は、エアゾール式製品やポンプ式製品における内容物放出用の操作部（放出ボタン）のスライド動作により、当該操作部を、静止モード位置のロック状態に設定して内容物放出操作が阻止されるロックモードと、操作部のロック状態を解除して内容物放出操作が可能なロック解除モードと、を選択できるようにした内容物放出操作ロック機構に関する。
【０００２】
また、ロックモードのとき、操作部の内容物放出操作を物理的に阻止するとともに、仮にこの阻止機能が十分に作用せず操作部が駆動された場合にも、この駆動力が内容物放出用の弁部材側へ伝達されないようにしている。
【０００３】
本明細書では、必要に応じて、内容物放出操作がおこなわれていない状態（＝ステムなどの弁部材の閉作用で内容物が外部空間域に放出されない状態）を静止モードといい、放出ボタンが例えば押下げ操作された内容物放出状態（＝弁部材の開作用で内容物が外部空間域に放出される状態）を作動モードという。
【０００４】
なお、外部空間域への内容物放出口側を「前」、それとは反対の指掛け部側を「後」とそれぞれ記す。図1〜図３の左側が「前」で右側が「後」となる。また、水平面内における前後方向と略直交する方向を「左右」，「横」と記す。
【背景技術】
【０００５】
従来、エアゾール式製品において、内容物放出操作用のボタン部のスライド動作により、内容物放出操作阻止のロックモードと、内容物放出操作可のロック解除モードとを選択的に設定する内容物放出操作ロック機構が提案されている（特許文献１参照）。
【０００６】
この内容物放出操作ロック機構の場合、概略、回動なしの上下動タイプのボタン部と内容物放出側のノズル部とは、ボタン部のスライド位置にかかわらず放出操作方向（上下方向）にいわば連結された状態である。
【０００７】
ボタン部の天井面部分とその下のノズル部とは、ボタン部のスライド位置にかかわらず略当接状態になっている。すなわち、放出ボタンへの利用者からの下方向操作力がノズル部にも伝達されえる状態である。
【０００８】
ただ、内容物放出操作阻止のロックモードのときは、ボタン部に形成されたロック片がハウジング（ワンタッチキャップ）の上面に略当接した状態に設定される。
【０００９】
そのため、利用者がロックモードのボタン部を押し下げようとしても、その一部のロック片がハウジング（ワンタッチキャップ）の上面にあたった状態に保持されて、ボタン部は下動できない。すなわちボタン部の下方向への内容物放出操作が阻止される。
【先行技術文献】
【特許文献】
【００１０】
【特許文献１】特開２０１２−１４０１３５号公報
【発明の概要】
【発明が解決しようとする課題】
【００１１】
このように従来の、操作部のスライド動作に基づいて、内容物放出操作阻止のロックモードと、内容物放出操作可のロック解除モードとを選択的に設定する内容物放出操作ロック機構の場合、ボタン部のスライド位置にかかわらす、その直下部分に、内容物放出動作用のバルブ機構と一体のノズル部が配設された構造になっている。
【００１２】
そのため、ボタン部に形成されたロック片とハウジング（ワンタッチキャップ）の上面との間のロック作用が十分でない場合や損なわれた場合などには、利用者がロックモードに設定済みのボタン部およびその直下のノズル部は放出操作方向（下方向）に連動可能となる。
【００１３】
すなわち、利用者がボタン部をスライド操作して内容物放出操作機構をロックモードに設定したにもかかわらす、ボタン部が、その内容物放出操作時と同じ状態に誤設定されてしまうという問題点があった。
【００１４】
なお、上記ロック作用が十分でない場合、損なわれた場合などとは、例えば、
(11)利用者がボタン部をそのロックモード位置まで完全にスライドさせていない、
(12)ロック片の設計強度が弱い、
(13)ボタン部へ作用する各種の力によりロック片が破損する、
ときなどである。
【００１５】
そこで本発明では、エアゾール式製品やポンプ式製品における内容物放出操作用の放出ボタン（ボタン部）のロックモードにおけるロック機能の不十分さ，喪失化の状態で、何らかの力を受けた放出ボタンが不用意に作動モード位置へと移動する場合にも、いわばその先に設定された被駆動部としての内容物放出作動部（ステム）が当該放出ボタンで駆動されない形にしている。
【００１６】
本発明は、このような内容物放出操作ロック機構の採用により、
(21)放出ボタンをスライドさせるといった簡単な操作により内容物放出操作を阻止するロックモードを設定でき、
(22)このロック性能が不完全で、ロックモードの放出ボタンが内容物放出操作のときと同じように移動する場合にも、ステムなどの内容物放出作動部を何ら移動させずに、ロックモードに設定済みの内容物放出機構が不用意に内容物放出状態に移行することを阻止できる、すなわち当該内容物放出機構の誤動作防止を図る、
ことを目的とする。
【課題を解決するための手段】
【００１７】
本発明は、以上の課題を次のようにして解決する。
（１）ワンタッチキャップ（例えば後述のワンタッチキャップ４）に取り付けられた操作部（例えば後述の放出ボタン１）のスライド動作により、外部空間域への内容物放出操作を阻止するロックモードおよび当該内容物放出操作を可とするロック解除モードのそれぞれが選択的に設定され、当該ロック解除モードでの当該内容物放出操作により放出側通路部（例えば後述のステム２および内容物通路部４ｆ）から内容物が放出される内容物放出操作ロック機構において、
前記ワンタッチキャップは、
前記操作部のスライド動作をガイドする案内部（例えば後述の溝状部４ｋ）を備え、
前記操作部は、
前記ロックモードのスライド位置において前記ワンタッチキャップに当接保持される被保持部（例えば後述の後側下端面１ｇ）と、
前記案内部にガイドされる被案内部（例えば後述の水平板状部１ｅ）と、
前記ロック解除モードのスライド位置において前記放出側通路部を内容物放出状態に設定する駆動作用部（例えば後述の駆動作用部１ｃ）と、を備え、
前記放出側通路部は、
前記ロック解除モードの前記駆動作用部と連動する被駆動作用部（例えば後述の外側上向き凸状部４ｈ）を備え、
前記駆動作用部および前記被駆動作用部は、
前記ロックモードのとき、前記駆動作用部が、前記被駆動作用部から前記操作部のスライド方向にずれて離間した位置のみ、となる形で設けられている、
構成態様のものを用いる。
（２）上記（１）において、
前記被駆動作用部から前記操作部のスライド方向にずれて離間した位置は、
前記被駆動作用部の直上方部分から前記操作部のスライド方向にシフトした位置である、
構成態様のものを用いる。
（３）上記（１），（２）において、
前記放出側通路部は、
前記内容物放出状態へシフトするためのバルブ作用を示すステム（例えば後述のステム２）、およびその下流側に取り付けられたステム外通路部（例えば後述の内容物通路部４ｆ）からなり、
前記被駆動作用部は、
前記ステム外通路部に形成されている、
構成態様のものを用いる。
（４）上記（１）〜（３）において、
前記操作部は、
前記ワンタッチキャップと一体成形された片持ち形状からなる押下げ回動操作タイプの放出ボタンである、
構成態様のものを用いる。
（５）上記（３），（４）において、
前記ステム外通路部は、
前記外部空間域への内容物の放出口（例えば後述の放出口４ｇ）を有する筒状部であり、
前記被駆動作用部は、
前記筒状部の外周面に形成された外側凸状部である、
構成態様のものを用いる。
（６）上記（１）〜（５）において、
前記ワンタッチキャップは、
前記操作部を、前記ロックモードおよび前記ロック解除モードそれぞれのスライド位置に保持する、ための位置規制部（例えば後述のロック位置設定部４ｅ，ロック解除位置規制部４ｍ）を有している、
構成態様のものを用いる。
【００１８】
このような構成からなる内容物放出操作ロック機構、ならびにこの内容物放出操作ロック機構からなるエアゾール式製品およびポンプ式製品を本発明の対象としている。
【発明の効果】
【００１９】
本発明は、以上の構成をとることにより、
(31)放出ボタンをスライドさせるといった簡単な操作により内容物放出操作を阻止するロックモードを設定でき、かつ、
(32)ロックモードに設定済みの内容物放出機構が不用意に内容物放出状態に移行することを十全に阻止し、当該内容物放出機構の誤動作防止を図る、
ことができる。
【図面の簡単な説明】
【００２０】
【図１】放出ボタンを図示左側の前方へシフトさせた内容物放出操作阻止状態のロックモードを示す説明図である。
【図２】放出ボタンを図示右側の後方へシフトさせた内容物放出操作状態のロック解除モードを示す説明図である。
【図３】図２のロック解除モードの放出ボタンを押下げ回動操作した内容物噴射状態を示す説明図である。
【図４】図１のロックモードの放出ボタンおよびワンタッチキャップの平面状態を示す説明図である。
【発明を実施するための形態】
【００２１】
図１乃至図４を用いて本発明を実施するための形態を説明する。
【００２２】
上述したように、本発明の内容物放出操作ロック機構はエアゾール式製品およびポンプ式製品の双方に適用できる。ただ以下の実施形態では、単なる説明の便宜上、エアゾール式製品の場合を前提とする。
【００２３】
なお、以下のアルファベット付き参照番号の構成要素（例えば天面１ａ）は原則として、当該参照番号の数字部分の構成要素（例えば放出ボタン１）の一部であることを示している。
【００２４】
図１〜図４において、
１は押下げ回動操作タイプの放出ボタン（操作部），
１ａは当該放出ボタンの天面，
１ｂは天面１ａの後端側扇状部分に形成されて、当該放出ボタンの前後方向へのスライド動作時における利用者の指かかりとして作用する前後テーパ態様の指掛け部，
１ｃは当該放出ボタンの下面部分（天井面）に下向きの凹曲面態様で形成されて、ロックモードのときは後述の外側上向き凸状部４ｈよりも前方上側に位置し、ロック解除モードでの押下げ回動操作により当該外側上向き凸状部と当接する一対の駆動作用部，
１ｄは当該放出ボタンの前端の左右両側部分に形成されて、自らの弾性変形により押下げ回動操作をいわばサポートする一対の垂下部，
１ｅは垂下部１ｄそれぞれの下端部分から前方向に延びる平行態様で形成されて、後述の溝状部４ｋに案内される一対の水平板状部（被案内部），
１ｆは当該操作ボタンの前端面，
１ｇは当該操作ボタンの後側下端面（被保持部），
をそれぞれ示している。
【００２５】
また、
２はコイルスプリング（図示省略）の弾性力により上方向に付勢され、周知のバルブ作用および噴射通路作用を呈するステム（放出側通路部の一部），
３は後述の内容物および噴射用ガスを収納したエアゾール式製品の周知の容器本体，
３ａはそれぞれ当該容器本体の構成要素である胴体上端部分とその上の肩カバー体下端部分との巻締め結合により設定されるアンダーカット，
をそれぞれ示している。
【００２６】
また、
４は容器本体３のアンダーカット３ａに常時嵌合し、この嵌合状態で放出ボタン１を保護する筒状のワンタッチキャップ，
４ａは当該ワンタッチキャップの筒状起立部，
４ｂは筒状起立部４ａの下端側内周面に形成されてアンダーカット３ａと係合する周方向凸状部，
４ｃは筒状起立部４ａの前上端側部分に形成された内容物噴射用の開口部，
４ｄは開口部４ｃの直上部分に形成された庇状部，
４ｅは庇状部４ｄの後端面部分であって、放出ボタン１の前端面１ｆが当接することによりそのロックモード位置を設定するロック位置設定部，
４ｆは当該ワンタッチキャップの開口部４ｃの部分から内側に延びる態様で一体成形されて、その上流端部分がステム２の下流端部分に取外し可能な形で取り付けられた、Ｌ字状で筒状の内容物通路部（放出側通路部の一部，ステム外通路部），
４ｇは内容物通路部４ｆの下流端部分に設定された内容物の外部空間域への放出口（内容物放出口），
４ｈは内容物通路部４ｆのＬ字状屈曲部の同じ高さの両側外面部分に形成されて、ロック解除モードのとき、放出ボタン１の押下げ回動操作によりその駆動作用部１ｃと個々に当接する、それぞれ上側が蒲鉾状曲面の一対の外側上向き凸状部（被駆動作用部），
４ｊは当該ワンタッチキャップの内容物通路部４ｆを挟む両側に形成された平行な前後方向の対向内面，
４ｋは対向内面４ｊそれぞれの前後方向の全体にわたり形成されて、スライド作動時の放出ボタン１の水平板状部１ｅを案内する一対の溝状部（案内部），
４ｍは前側段部とこれに続く後側斜面とからなる態様で溝状部４ｋに形成されて、放出ボタン１の水平板状部１ｅが当接することによりそのロック解除モード位置を設定するロック解除位置規制部，
４ｎは筒状起立部４ａの後上端側に形成されて、ロックモード（図１参照）のとき、放出ボタン１の後側下端面１ｇに当接した状態でこれを保持する後側上端面，
４ｐは当該ワンタッチキャップの後側を除いた天面部分からなり、幅広の、上方からみて略Ｖ字状の連続縁状天面，
をそれぞれ示している。
【００２７】
また、
５は容器本体３の開口端部側に取り付けられた、すなわち肩カバー体上端部分に取り付けられた周知のマウンティングキャップ，
６はマウンティングキャップ５の平面中央部分に係合保持され、噴射対象内容物の貯留域，通路域などとして作動する周知のハウジング，
をそれぞれ示している。
【００２８】
ここで、放出ボタン１およびワンタッチキャップ４は例えばポリプロピレン，ポリエチレン，ポリアセタール，ナイロン，ポリブチレンテレフタレートなどからなるプラスチック製のものである。
【００２９】
また、ステム２，容器本体３およびハウジング６は例えばプラスチック製，金属製のものである。マウンティングキャップ５は例えば金属性のものである。
【００３０】
放出ボタン１の垂下部１ｄ、およびワンタッチキャップ４の内容物通路部４ｆと筒状起立部４ａとの接続部などはプラスチック製の弾性変形可能部分である。
【００３１】
図示の内容物放出操作ロック機構の基本的特徴は、
(41)放出ボタン１を前方へスライドさせた図１のロックモードのとき、
・その前端面１ｆがワンタッチキャップ４のロック位置設定部４ｅに当接して保持され、
・その駆動作用部１ｃが、外側上向き凸状部４ｈの真上部分より前方に位置し、
・その後側下端面１ｇがワンタッチキャップ４の後側上端面４ｎに当接して保持され、
(42)放出ボタン１を後方へスライドさせた図２のロック解除モードのとき、
・その水平板状部１ｅの後端部分がロック解除位置規制部４ｍ（溝状部４ｋ）の前側段部に当接して保持され、
・その駆動作用部１ｃが外側上向き凸状部４ｈの略真上部分に位置し、
・その後側下端面１ｇがワンタッチキャップ４の後側上端面４ｎから離間した後方部分に位置する、
ことである。
【００３２】
このように図１のロックモードの放出ボタン１は、元々その水平板状部１ｅがワンタッチキャップ４の溝状部４ｋに保持された状態で、その後側下端面１ｇが当該ワンタッチキャップの後側上端面４ｎに当接保持されている。
【００３３】
そのため利用者が、放出ボタン１の天面１ａの後端側扇状部分などを押し下げて内容物放出状態の作動モードに設定しようとしても、当該放出ボタンは移動しない。
【００３４】
すなわち、弁作用を呈するステム２はそれまでの閉状態（静止モード）に維持されて、容器本体３の内容物が放出口４ｇから外部空間域に噴射されることはない。
【００３５】
また、ロックモードの放出ボタン１が、その天面１ａなどに対する何らかの衝撃や利用者の誤操作などによって例えば垂下部１ｄの弾性変形をともないながら、後側上端面４ｎに保持されたまま下方に移動したり、当該後側上端面との保持位置から前方や少し後方にずれた状態で下方に移動したりしても、放出ボタン１の駆動作用部１ｃが内容物通路部４ｆの外側上向き凸状部４ｈに当接することはない。
【００３６】
そのため、内容物通路部４ｆおよびこれと一体のステム２が下動することもなく、当該ステムの弁作用部は静止モードの閉状態に保持され、静止モードから作動モードへの誤動作が阻止される。
【００３７】
図２は、図１のロックモードの放出ボタン１を、その水平板状部１ｅの後端部分がロック解除位置規制部４ｍの前側段部に当接するまで、後方にスライドさせたロック解除モード（＝静止モード）を示している。
【００３８】
このとき、上述したように、放出ボタン１の駆動作用部１ｃが内容物通路部４ｆの外側上向き凸状部４ｈの直上に位置し、かつ、当該放出ボタンの後側下端面１ｇが筒状起立部４ａの後側上端面４ｎから後方に離間した状態に位置している。
【００３９】
なお、放出ボタン１の下面部分は後側下端面１ｇとこれより高く設定されたいわば天井面とからなっており、図２の静止モードにおける当該後側下端面とその略真上の放出ボタン天井面との間には上下方向の十分なクリアランス空間域が生成されている。このクリアランス空間域の生成により放出ボタン１の押下げ回動操作が可能となる。
【００４０】
図３は、図２の静止モードの放出ボタン１を押下げ回動操作した状態、すなわち容器本体３やハウジング６の収容内容物が内容物通路部４ｆの放出口４ｇから外部空間域に噴射される状態を示している。
【００４１】
図２の放出ボタン１に対する矢印方向への押下げ回動操作にともない、
(51)溝状部４ｋに案内保持済みの水平板状部１ｅへと続く垂下部１ｄが弾性変形し、
(52)この弾性変形により、放出ボタン全体がその水平板状部１ｅをいわば中心にして図示時計方向に回動し、
(53)この回動により、内容物通路部４ｆの外側上向き凸状部４ｈが放出ボタン１の駆動作用部１ｃで押し下げられ、
(54)この押下げにより、内容物通路部４ｆと一体のステム２が周知のコイルスプリング（図示省略）の上方向への弾性力に抗する形で下方に移動して、その弁作用部がそれまでの閉状態から開状態へシフトする。
【００４２】
ステム２の周知の弁作用部が開くことにより、容器本体３の内容物が「チューブ（図示省略）−ハウジング６−ステム２の内部空間域−内容物通路部４ｆの内部空間域−放出口４ｇ」の径路で外部空間域に噴射される。
【００４３】
放出ボタン１の押下げ回動操作を止めると、ステム２およびこれと一体の内容物通路部４ｆは周知のコイルスプリング（図示省略）の弾性力により上方向の初期位置に駆動される。このとき、内容物通路部４ｆは筒状起立部４ａとの接続部の自弾性力によっても初期位置に復帰する。
【００４４】
その結果、放出ボタン１は、内容物通路部４ｆの外側上向き凸状部４ｈからの上方向への力を駆動作用部１ｃで受けて上方向の初期位置に駆動される。また、放出ボタン１は垂下部１ｄの自弾性力によっても初期位置に復帰する。すなわち図２のロック解除モード（静止モード）の位置に復帰する。
【００４５】
図示の内容物放出操作ロック機構の組立て手順は、
(61)放出ボタン１の垂下部１ｄを、ワンタッチキャップ４の上側開口部で溝状部４ｋの後側付近に上方から差し入れて、水平板状部１ｅを溝状部４ｋの高さに合わせ、
(62)次に、水平板状部１ｅを溝状部４ｋに案内させながら放出ボタン１を前方に移動し、(63)その際、水平板状部１ｅがロック解除位置規制部４ｍの後方のスロープ部に乗り上げて当該ロック解除位置規制部を乗り越えさせる、
ようにする。
【００４６】
本発明のエアゾール噴射操作機構が図示の実施形態に限定されるものでないことは勿論であり、例えば、
(71)図示の押下げ回動タイプの放出ボタンに代えて、非回動の上下動タイプの放出ボタンを用いる、
(72)放出ボタン１の水平板状部１ｅとワンタッチキャップ４の溝状部４ｋとの凹凸関係を逆にする、
(73)放出ボタン１をロックモードやロック解除モードの各スライド位置に強く保持するため、ワンタッチキャップ４の溝状部４ｋの当該各スライド位置に対応する部分の、水平板状部１ｅとの摩擦係合力を大きくする、
ようにしてもよい。
【００４７】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４８】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００４９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５１】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５３】
高分子化合物としては、メチルセルロース，ゼラチン，デンプン，カゼイン，ヒドロキシエチルセルロース，キサンタンガム，カルボキシビニルポリマーなどを用いる。
【００５４】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５５】
さらに、上記内容物以外の、懸濁剤，紫外線吸収剤，乳化剤，保湿剤，酸化防止剤、金属イオン封鎖剤なども用いることができる。
【００５６】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５７】
１：押下げ回動操作タイプの放出ボタン（操作部）
１ａ：天面
１ｂ：指掛け部
１ｃ：一対の駆動作用部
１ｄ：一対の垂下部
１ｅ：水平板状部（被案内部）
１ｆ：前端面
１ｇ：後側下端面（被保持部）
【００５８】
２：ステム（放出側通路部の一部）
３：容器本体
３ａ：アンダーカット
【００５９】
４：ワンタッチキャップ
４ａ：筒状起立部
４ｂ：周方向凸状部
４ｃ：開口部
４ｄ：庇状部
４ｅ：ロック位置設定部
４ｆ：内容物通路部（放出側通路部の一部，ステム外通路部）
４ｇ：放出口
４ｈ：一対の外側上向き凸状部（被駆動作用部）
４ｊ：前後方向の対向内面
４ｋ：一対の溝状部（案内部）
４ｍ：ロック解除位置規制部
４ｎ：後側上端面
４ｐ：連続縁状天面
【００６０】
５：マウンティングキャップ
６：ハウジング
【図１】
2015048132.tif 000003
【図２】
2015048132.tif 000004
【図３】
2015048132.tif 000005
【図４】
2015048132.tif 000006